(57)【要約】  本発明の特徴によれば、受信者装置へ送信されるべきメッセージに対するデータ・セットのコンテント・クラスが規定される。メッセージを受信装置に転送するネットワーク・エレメントは、受信ターミナルへのメッセージ内の少なくとも１つの情報エレメントを指定することによって、情報エレメントが、コンテント・クラスの指示を含むようにする。メッセージは、受信装置に送信される。
2008519478.tif 000002
【特許請求の範囲】
【請求項１】
メッセージング・システムにおいて受信者に対するメッセージ・コンテント特性（property）の指示（indication）を調整する（arranging）ための方法であって、当該メッセージング・システムが、受信者装置、及び、メッセージを受信者装置へ転送するネットワーク・エレメントを備え、転送されるメッセージが、当該メッセージの特性を指定（specify）し得、当該方法が、
前記受信者装置へ送信されるべきメッセージに対するデータ・セットのコンテント・クラスを規定し、
前記情報エレメントが、前記コンテント・クラスの指示を含むように、前記ネットワーク・エレメントによって、前記受信者装置へのメッセージ内の少なくとも１つの情報エレメントを指定し、そして、
前記メッセージを、前記受信者装置に送信する、
ステップを含むことを特徴とする方法。
【請求項２】
前記データ・セットのコンテント・クラスが、コンテント発信者（content originator）から受信されたメッセージにおけるコンテント・クラス指示に基づいて規定されることを特徴とする請求項１に記載の方法。
【請求項３】
前記データ・セットの前記コンテント・クラスが、前記ネットワーク・エレメントによって適用された（adapted）前記データ・セットに基づいて規定される、
ことを特徴とする請求項１に記載の方法。
【請求項４】
前記受信者装置によって前記メッセージを受信し、
前記情報エレメント内の前記コンテント・クラスをチェックし、そして、
前記コンテント・クラスに従って前記メッセージ・コンテントの更なる処理を調整する、
ことを特徴とする以上のいずれかの請求項に記載の方法。
【請求項５】
前記受信者装置において、受信者装置が、前記コンテント・クラスをサポートするか否かをチェックし、そして、
もし、前記受信者装置が、前記コンテント・クラスをサポートしないならば、前記データ・セットの少なくとも一部を適用させる、
ことを特徴とする請求項４に記載の方法。
【請求項６】
メッセージング・システムにおける受信者のためのメッセージ・コンテント特性の指示を調整するための方法であって、当該メッセージング・システムが、受信者装置、及び、メッセージを前記受信者装置へ転送するためのネットワーク・エレメントを備え、当該転送されるメッセージが、当該メッセージの特性を指定し得、当該方法が、
前記受信者装置へ送信されるべきメッセージのためのデータ・セットが、エレメントであって、当該エレメントの使用が制限される当該エレメントを含むか否かを規定し、
エレメントであって、当該エレメントの使用が制限される、１つあるいはそれより多い当該エレメントを含む前記データ・セットに応じて、前記情報エレメントが、使用制限されたコンテントの指示を含むように、前記ネットワーク装置によって、前記受信者ターミナルへのメッセージ内の少なくとも１つの情報エレメントを指定し、そして、
前記メッセージを、前記受信者装置に送信する、
ステップを含むことを特徴とする方法。
【請求項７】
前記受信者装置によって前記メッセージを受信し、
前記情報エレメントをチェックし、そして、
使用制限を示す前記情報エレメントに応じて、使用が制限されたエレメントに対して１つあるいはそれより多い更なる動作を開始する、
ことを特徴とする請求項６に記載の方法。
【請求項８】
もし、前記データ・セットが、ＤＲＭ保護されたエレメントを含むならば、ＤＲＭ（デジタル権利管理）保護の指示が前記情報エレメント内で指定されることを特徴とする請求項６又は７に記載の方法。
【請求項９】
前記ネットワーク・エレメントがＭＭＳ（マルチメディア・メッセージング・サービス）リレー／サーバであり、前記メッセージがマルチメディア・メッセージであり、前記情報エレメントが前記メッセージ内のＭＭＳヘッダとして指定される、
ことを特徴とする以上のいずれかの請求項に記載の方法
【請求項１０】
メッセージング・システムのためのネットワーク・エレメントであって、当該ネットワーク・エレメントが、メッセージを受信者装置へ送信するための手段を備え、当該ネットワーク・エレメントが、
前記受信者装置へ送信されるべきメッセージのためのデータ・セットのコンテント・クラスを規定するための手段、及び、
前記情報エレメントが前記コンテント・クラスの指示を含むように、前記受信者装置へのメッセージ内の少なくとも１つの情報エレメントを指定するための手段、
を備えることを特徴とするネットワーク・エレメント。
【請求項１１】
前記コンテントの発信者から受信されたメッセージにおけるコンテント・クラス指示に基づいて、前記ネットワーク・エレメントが前記データ・セットの前記コンテント・クラスを規定するようにされることを特徴とする請求項１０に記載されたネットワーク・エレメント。
【請求項１２】
前記ネットワーク・エレメントによって適用された前記データ・セットに基づいて、前記ネットワーク・エレメントが前記データ・セットの前記コンテント・クラスを規定するようにされることを特徴とする請求項１０又は１１に記載のネットワーク・エレメント。
【請求項１３】
メッセージング・システムのためのネットワーク・エレメントであって、当該ネットワーク・エレメントが、メッセージを受信者装置へ送信するための手段を備え、当該ネットワーク・エレメントが、
前記受信者装置に送信されるべきメッセージのためのデータ・セットが、エレメントであって、当該エレメントの利用が制限される当該エレメントを含むか否かを規定するための手段、及び、
エレメントであって、当該エレメントの使用が制限される１つあるいはそれより多い当該エレメントを含むデータ・セットに応じて、前記情報エレメントが使用制限されたコンテントの指示を含むように、前記受信者装置へのメッセージ内の少なくとも１つの情報エレメントを指定するための手段、
を備えることを特徴とするネットワーク・エレメント。
【請求項１４】
もし、前記データ・セットがＤＲＭ保護されたエレメントを含むならば、前記ネットワーク・エレメントが、前記情報エレメント内で、ＤＲＭ（デジタル権利管理）保護の指示を指定するようにされることを特徴とする請求項１３に記載のネットワーク・エレメント。
【請求項１５】
前記ネットワーク・エレメントが、ＭＭＳ（マルチメディア・メッセージング・サービス）リレー／サーバであり、前記メッセージが、マルチメディア・メッセージであり、そして、
前記ネットワーク・エレメントが、前記情報エレメントを、前記メッセージ内のＭＭＳヘッダとして指定するようにされる、
ことを特徴とする請求項１０ないし１４のいずれかに記載のネットワーク・エレメント。
【請求項１６】
前記ネットワーク・エレメントが、前記データ・セットを含むメッセージ内の前記情報エレメントを指定するようにされることを特徴とする請求項１０ないし１５のいずれかに記載のネットワーク・エレメント。
【請求項１７】
モバイル・メッセージング・システムのためのモバイル・ターミナルであって、当該モバイル・ターミナルが、メッセージング・ネットワーク・エレメントからメッセージを受信するための手段を含み、当該モバイル・ターミナルが、
前記受信されたメッセージに含まれる、又は、それによって指示される、データ・セットのコンテント・クラスを示す情報エレメントをチェックするための手段、及び、
前記コンテント・クラスに従って、前記データ・セットの処理を適用させるための手段、
を備えることを特徴とするモバイル・ターミナル。
【請求項１８】
前記モバイル・ターミナルが、前記コンテント・クラスが前記モバイル・ターミナルでサポートされるか否かをチェックするようにされ、そして、
もし前記コンテント・クラスがサポートされるならば、前記モバイル・ターミナルが、前記データ・セットの更なる使用を調整する（arrange）ようにされる、
ことを特徴とする請求項１７に記載のモバイル・ターミナル。
【請求項１９】
モバイル・メッセージング・システムのためのモバイル・ターミナルであって、当該モバイル・ターミナルが、メッセージング・ネットワーク・エレメントからメッセージを受信するための手段、及び、使用制限されたデータを処理するための手段、を備え、当該モバイル・ターミナルが、
前記受信されたメッセージ内の情報エレメントをチェックするための手段であって、当該情報エレメントが、前記メッセージに含まれる又は前記メッセージによって指示される少なくとも１つのコンテント・エレメントの使用が制限されることを示すものであり、そして、
データ保護を示す前記情報エレメントに応じて、前記制限されたコンテント・エレメントに、１つあるいはそれより多い更なる動作を適用させるための手段、
を備えることを特徴とするモバイル・ターミナル。
【請求項２０】
前記使用制限を示す前記情報エレメントに応じて、前記モバイル・ターミナルが、前記制限されたコンテント・エレメントの処理を開始するようにされることを特徴とする請求項１９に記載のモバイル・ターミナル。
【請求項２１】
前記モバイル・ターミナルが、ＤＲＭ（デジタル権利管理）保護の前記指示を検知するようにされ、そして、
前記指示に基づいて、前記モバイル・ターミナルが、ＤＲＭ保護されたコンテント・エレメントのためのＤＲＭアクティビティを開始するようにされる、
ことを特徴とする請求項１９又は２０に記載のモバイル・ターミナル。
【請求項２２】
前記メッセージが、マルチメディアであり、そして、
前記ターミナルが、前記受信されたメッセージのＭＭＳヘッダ内の前記情報エレメントをチェックするようにされる、
ことを特徴とする請求項１７−２１のいずれかに記載のモバイル・ターミナル。
【発明の詳細な説明】
【技術分野】
【０００１】
本発明は、受信者装置に、メッセージ・コンテント・プロパティを知らせることに関連する。
【背景技術】
【０００２】
ショート・メッセージ・サービスは、今日、非常にポピュラーである。テキスト・ベースのショート・メッセージ以外にも、マルチメディア・データを送信するための手段も必要とされる。マルチメディア・メッセージング・サービス（ＭＭＳ）は、ビデオ、オーディオ、及び、イメージのような、種々のコンテント・タイプを持つメッセージを転送するために開発されてきたサービスである。３ＧＰＰ（３番目の世代のパートナーシップ・プロジェクト）仕様ＴＳ23.140ｖ.6.7.0「マルチメディア・メッセージング・サービス（ＭＭＳ）；機能的記述；ステージ２」2004年9月は、ＭＭＳの基本的機能を説明する。
【０００３】
マルチメディア・メセージング・サービスは、異なったネットワーク・タイプを含む環境でアレンジされ得る。３ＧＰＰ  ＭＭＳ環境（environment）は、２Ｇ及び３Ｇネットワークを含み得、マルチメディア・メッセージングのために必要な、全てのサービス・エレメント（配送、格納、及び、通知、の機能性のようなもの）を提供する。ＭＭＳリレー／サーバは、入来及び出力メッセージの格納及びハンドリングのため、及び、異なったメッセージング・システムの間のメッセージの転送のための責任を持つ。ＭＭＳユーザ・エージェントは、マルチメディア・メッセージを送信している又は受信しているモバイル・ターミナルに存在（resides）する。ＭＭＳユーザ・エージェントは、ユーザに、マルチメディア・メッセージ（ＭＭ）を、観察し、作成（compose）し、ハンドルする能力を提供するアプリケーション・レイヤ・ファンクションである。
【０００４】
マルチメディア・コンテント・タイプは、ＭＭＳによって送信され得る。ＭＭは、メッセージのコンテント・タイプ（例えば、jpegフォーマットのイメージが送信される場合における”jpeg”）を記述する。発信者（originator）のユーザ・エージェントは、ＭＭの、ＭＩＭＥ（マルチ・パーパス・インターネット・メール・エクステンション）コンテント・タイプの識別子を、ＭＭ  ＰＤＵ（パケット・データ・ユニット）に追加する。ＭＩＭＥコンテント・タイプの識別子は、中間ＭＭＳリレー／サーバによって、受信者ユーザ・エージェントに送信される。
【０００５】
３ＧＰＰ  ＭＭＳは、コンテント適応（adaptation）をもサポートする。いくつかのコンテント・クラスが、ＯＭＡ（オープン・モバイル・アライアンス）仕様「ＭＭＳ  コンフォーマンス文書1.2」候補バージョン2004年7月27日、で指定されている。テーブル１に示されるコンテント・クラスは、コンテント・カテゴリー分類（categorization）を規定する。各コンテント・クラスは、特定の要求（コンテント・クラスをサポートするために、ユーザ・エージェントが、サポートしなければならないもの）を規定する。もし、ＭＭのコンテントが、コンテント・クラスの要求と一致するならば、コンテント・クラスの１つの識別子は、発信者ユーザ・エージェントからのＭＭに含まれ得る。ＤＲＭ（デジタル権利管理）保護の存在の指示のような他のコンテント情報と共に、このコンテント・クラス識別子は、発信者ＭＭＳユーザ・エージェントによって、ＭＭＳリレー／サーバに提供され得る。ＭＭＳリレー／サーバは、適応（adaptation）が必要か否かを識別するための、このコンテント・クラス情報を使用し得る。受信者ＭＭＳユーザ・エージェント・プロパティ及び受信されたコンテント・クラスに基づいて、（受信者）ＭＭＳリレー／サーバは、適応が要求されるか否かを規定（define）し得る。
【０００６】
もし、受信者・ターミナルが、（コンテント・タイプの他に）受信されたＭＭのコンテントの詳細を得ることを希望するならば、それは、コンテントの分析（即ち、ＭＭの本体部分の分析）を実行する必要がある。これは、非常に複雑な工程であり得、時間と処理リソースを必要とする。
【発明の開示】
【発明が解決しようとする課題】
【０００７】
本発明の目的は、強化されたコンテント・プロパティ情報ソリューションを提供することである。
【課題を解決するための手段】
【０００８】
本発明の目的は、独立項で述べられることによって特徴付けられる、方法、ネットワーク・エレメント、及び、モバイル・ターミナルによって実現される。本発明のいくつかの実施例は、従属項に開示される。
【０００９】
本発明の特徴によれば、受信者装置（recipient device）に送信されるべきメッセージのためのデータ・セットのコンテント・クラスが規定される。メッセージを、受信者装置に送信するネットワーク・エレメントは、受信者ターミナルへのメッセージ内の少なくとも１つの情報エレメントを指定する（specifies）ことによって、情報エレメントが、コンテント・クラスの指示（indication）を含むようにする。メッセージは、受信者装置に送信される。
【００１０】
本発明の他の特徴によれば、メッセージを、受信者装置（device）に転送するネットワーク・エレメントは、受信者装置に送信されるべきメッセージに対するデータ・セットが、エレメント（その使用が制限されているもの）を含むか否かを規定し得る。ネットワーク・エレメントは、受信者ターミナルへのメッセージ内の少なくとも１つの情報エレメントを指定（specifies）して、情報エレメントが、１つあるいはそれより多いエレメント（その使用が制限されているもの）を含むデータ・セットに応じて、使用が制限されたコンテントの指示（indication）を含むようにする。メッセージは、次に、受信者装置に送信される。
【００１１】
用語「データ・セット」は、一般的に、受信者へのメッセージングによって送信されることが可能な、如何なる種類の情報の組をも意味し、マルチプルのメディア・タイプを含み得る。用語「コンテント・クラス」は、一般的に、３ＧＰＰ  ＭＭＳに対して指定されるコンテント・クラスに制限されること無しに、データ・セットが満たす１つあるいはそれより多い要求（requirements）に関連する情報を意味する。データ・セットのコンテント・クラスの規定、又は、データ・セットにおける使用制限のアプリケーションの規定は、一般的に、コンテント・クラスのどの情報が得られ得るかに基づく、又は、使用制限のアプリケーションが得られ得るかに基づく、如何なる種類のアクティビティをも意味することが理解されるべきことにも留意されるべきである。同様に、コンテント・クラスの指示を含む情報エレメント、又は、使用制限されたコンテントの指示を含む情報エレメント、の仕様（specification）は、一般的に、受信者装置に送信されるべきメッセージに対するこの情報を生成する、如何なる種類のアクティビティをも意味すると理解されるべきである。例えば、この情報は、受信されたメッセージ内に指され得、情報は単に、送信されるべきメッセージにコピーされ得る。
【００１２】
本発明のこの特徴の有利な点は、コンテント・タイプの指示（indication）、及び／又は、使用権が制御されたコンテントの指示が、受信者ターミナルに配送され得ることである。受信者ターミナルは、当該指示に基づいて、容易に、コンテント・クラス（受信されたコンテントがこれに属する）、及び／又は、コンテントの使用が制限されるか否か、を検知し得る。これは、多くのモバイル電話のような、比較的小さなメモリ／処理リソースしか持たない装置にとって重要である。更に、受信されたメッセージの、より少ない処理しか必要とされないので、より少ないバッテリー・リソースしか消費されない。
【発明を実施するための最良の形態】
【００１３】
以下において、添付の図面を参照したいくつかの実施例によって、本発明のいくつかの特徴がより詳細に説明される。
【００１４】
本発明のいくつかの実施例が、３ＧＰＰマルチメディア・メッセージング・サービス（ＭＭＳ）をサポートする、以下のシステムで説明される。しかし、本発明のアプリケーションは、そのようなシステムに限定されないことに留意頂きたい。
【００１５】
図１は、ＭＭＳ環境における階層的（architectural）エレメントの例を示す。モバイル・ターミナル10は、ユーザ・ターミナル10においてＭＭＳ関連の機能を処理するＭＭＳユーザ・エージェント11を含む。モバイル電話、トランシーバを備えたラップトップ・コンピュータ、又は、ＰＤＡ（パーソナル・デジタル・アシスタント）装置が、ターミナル10として機能し得る。ＭＭＳエージェント11は、ターミナル10に接続された外部装置に常駐し得ることに留意すべきである。ＭＭＳエージェント11は、ＭＭ配送（delivery）を開始することによってマルチメディア・メッセージを検索し、ＭＭＳサーバ／リレー・エレメントとターミナル能力（capabilities）をネゴシエートするようにされる。したがって、ＭＭＳエージェント11は、少なくとも、マルチメディア・メッセージを受信する能力を持つ必要がある。ＭＭＳエージェント11は、更に、例えば、マルチメディア・メッセージを作成し、マルチメディア・メｓッセージをＭＭＳサーバ／リレー・エレメント20に送信（submit）し、マルチメディア・メッセージを提示し、そして、ユーザに対してマルチメディア・メッセージの通知（notification）を提示するようにされ得る。ターミナル10は、モバイル・ネットワーク30と通信するためのトランシーバを備える。例えば、モバイル・ネットワーク30は、ＧＳＭサービスをサポートするネットワーク、ＧＰＲＳ（ゼネラル・パケット・ラディオ・サービス）サービスをサポートするネットワーク、３ＧＰＰのネットワーク仕様によるネットワークのような第３世代モバイル・ネットワーク、又は、複数の通信技術をサポートするネットワーク、であり得る。３ＧＰＰコンプライアントなモバイル・ターミナルの場合には、ターミナル10は、ユーザ装置（ＵＥ：user equipment）、又は、モバイル・ステーション（ＭＳ）とも呼ばれ得る。
【００１６】
ＭＭＳサーバ21、及び、ＭＭＳリレー22機能性を備えるネットワーク・エレメント20は、モバイル・ネットワーク30に接続される。或いは、代替的実施例では、ネットワーク・エレメント20は、モバイル・ネットワーク30の、いくつかのネットワーク・エレメント内に含まれる。ＭＭＳリレー／サーバ21,22は、単一のロジカル・エレメントであり得、又は、多分、別個の装置（devoices）に駐在するＭＭＳリレーとＭＭＳサーバ・エレメントに分離され得る。ＭＭＳリレー／サーバ・エレメント20は、以下の機能性を提供する：
マルチメディア・メッセージを受信し、送信すること；メッセージをマルチメディア・メッセージ・フォーマットに変換（例えば、ファクシミリからＭＭへの）すること；マルチメディア・メッセージを、他のメッセージ・フォーマットに変換すること；メッセージ・コンテント検索；ＭＭＳユーザ・エージェント11へのマルチメディア・メッセージ通知；配送レポートの生成；マルチメディア・メッセージ及びリード・リプライ・レポート（read-reply reports）のルーティング；アドレス変換（translation）；マルチメディア・メッセージの一時的格納；及び、デジタル権利管理（ＤＲＭ）機能性。ＭＭＳリレー／サーバ・エレメント20は、課金データ・レコード（ＣＤＲ）の生成、ターミナル能力（capabilities）のネゴシエーション、または、受信者ターミナル10の能力に基づくメディア・タイプ／メディア・フォーマット変換、のような追加的な機能性を提供し得る。ＭＭＳサーバ／リレー・エレメント20は、インターネット50及び他のモバイル・ネットワーク30のような他のネットワークに接続され得る。ＭＭＳ環境は、例えば、マルチメディア・メッセージの一時的記憶のためのメッセージ記憶部、及び、ユーザ特有のデータを含むユーザ・データベースのような、特定のデータ記憶部（storage）40をも備え得る。そのようなユーザ・データベースの１つは、３ＧＰＰモバイル・システムのホーム・ロケーション・レジストリ（ＨＬＲ）である。ＭＭＳサーバ／リレー・エレメント20は、例えば、ＭＭＳバリュー・アッデッド・サービス（ＶＡＳ）アプリケーションのような、他の装置（devices）及び機能（function）にも接続され得る。ＩＰネットワーク50は、例えば、ローミングＭＭＳユーザ・エージェント11、又は、ワイヤド電子メール・クライアントと通信するために使用され得る。図１には示されないが、ＭＭＳシステムは、マルチメディア・メッセージを転送するためのＭＭＳプロキシ・リレーを含み得る。既に指定されている、ＭＭＳ環境、及び、ユーザ・エージェント11とＭＭＳサーバ／リレー・エレメントにおけるＭＭＳ機能についての、より細かい詳細については、３ＧＰＰ仕様ＴＳ  23.140ｖ.6.7.0「マルチメディア・メッセージング・サービス（ＭＭＳ）；機能記述；ステージ２」2004年９月、特にその５-７章、に対して参照が為される。
【００１７】
モバイル・ターミナル10及びＭＭＳサーバ／リレー・エレメント20は、メモリ、データ転送を手配（arranging）するためのトランシーバ、及び、１つあるいはそれより多いプロセッサを含む処理ユニット、を備える。処理ユニットで実行されるコンピュータ・プログラム・コードは、これらの装置10,20に、コンテント・プロパティの使用を手配（arranging）することに関連する発明的機能を提供するための手段を実行させるために使用され得る（なお、発明的機能のいくつかの実施例が、図２から６との関係で、以下で説明されている）。１つの実施例において、修正されたＭＭＳユーザ・エージェント11及び修正されたＭＭＳサーバ21、及び／又は、リレー22が、後述の発明的（inventive）機能の少なくともいくつかを実行する。修正は、ＭＭＳユーザ・エージェント11及びＭＭＳサーバ21、及び／又は、リレー22を実装するためのソフトウェアにおける、特定のプログラム・コード部分によって実行され得る。しかし、本発明の機能は、いくつかの他の主体（entity）によって実行され得ることに留意されるべきである。
【００１８】
チップ・ユニット、又は、装置10、及び／又は、20を制御するための、いくつかの他のタイプのモジュールは、１つの実施例においては、この装置10、及び／又は、20に、発明的機能を実行させ得る。このモジュールは、装置10、及び／又は、20の一部を形成し得、リムーバブル（即ち、それは、他のユニット又は装置内に挿入され得る）であり得る。コンピュータ・プログラム・コードは、ネットワークを介して受信され得。又は、例えばディスク、ＣＤ−ＲＯＭディスク、又は、他の外部メモリ手段のような、メモリ手段内に格納され得、これらのメモリ手段から、コンピュータ・プログラム・コードが、データ処理装置100,200のメモリ内にロードされ得る。コンピュータ・プログラムは、例えばＴＣＰ／ＩＰプロトコル・スタックを用いることによって、ネットワークを通じてもロードされ得る。ハードウェアソリューション、又は、ハードウェアとソフトウェアソリューションの組合せもまた、発明的な機能を実現するために使用され得る。
【００１９】
図２は、コンテント・クラスの利用に関連する本発明の実施例による方法を示す。図２に示される方法は、マルチメディア・メッセージを受信者ＭＭＳエージェント11に送信している（受信者）ＭＭＳサーバ／リレー・エレメント20における本発明の実施例において、メッセージを受信者に転送する中間（intermediate）エレメント内で適用され得る。コンテント・クラスは、コンテント・クラスに属し、若しくは、それと関連付けさせるために（マルチメディア・メッセージのコンテントの少なくとも一部を形成している）データ・セットが達成（fulfill）すべき、１つあるいはそれより多い要求（requirements）と関連付けされる。コンテント・クラスの所定の（predetermined）グループが、システム内で指定されて、少なくとも転送されたマルチメディア・メッセージの殆どが、いくつかのコンテント・クラスに属することになるようにされる。ステップ201において、メッセージが受信される。メッセージは、マルチメディア・メッセージ、又は、他のタイプのメッセージ（そのコンテントが、マルチメディア・メッセージとして、受信者ターミナル10に転送されるべきもの）であり得る。メッセージは、発信者ＭＭＳユーザ・エージェント（11）から、メッセージの発信者が他のＭＭＳサーバ／リレー・エレメント20の領域に常駐する場合に他の（発信者）ＭＭＳサーバ／リレー・エレメント（20）から、又は、ＭＭＳ環境の外部に存在し得る他のコンテント・プロバイダから、受信され得る。メッセージのコンテントのコンテント・クラスは、ステップ202で規定される。代替的な実施例において、ステップ201で受信されたメッセージのコンテントのいくつかだけのコンテント・クラスが、ステップ202で規定され得ることに留意すべきである。受信されたメッセージ内のコンテント・クラス指示（indication）に基づいて、コンテント・クラスがステップ202で規定され得る。このようにして、ＭＭＳリレー／サーバ・エレメント20は、ステップ202においてコンテント・クラスを規定するために、コンテント・クラスを示す情報エレメントをチェックするようにされ得る。或いは、コンテント・クラスは、コンテントの分析に基づいて、又は、コンテントへの修正に基づいて、202で規定される。１つの例において、ＭＭＳサーバ／リレー・エレメント20は、受信されたメッセージのコンテントの適応（adaptation）を実行し得、適応されたコンテントに対して適切なコンテント・クラスを指定する。
【００２０】
コンテント・クラスの指示（indication）は、受信者ターミナル10に送信されるべきメッセージにおいて、ステップ203で指定（specified）される。このステップは、ステップ201で受信されたメッセージのコンテンツを含むＭＭＳ  ＰＤＵの形成の一部であり得る。１つの実施例において、コンテント・クラスの指示を備える特定のヘッダが、ステップ203においてＰＤＵに加えられる。メッセージの準備の後に、メッセージは、受信者装置に（本実施例においては、ＭＭＳエージェント11を備えるターミナル10に）送信され得る。送信には、例えば、ＭＭＳサーバ／リレー・エレメント20からの受信されたメッセージの通知の後に、受信者ターミナル10からの特定の要求（request）が必要とされ得ることに留意すべきである。
【００２１】
図３は、図２と同じ側面、即ちコンテント・クラスの利用、に関連する実施例を説明する。図３に示される方法は、受信者装置に（本実施例では、ＭＭＳエージェント11を備えるターミナル10に）適用され得る。ステップ301において、マルチメディア・メッセージが受信される。受信されたマルチメディア・メッセージのコンテント・クラスが、302でチェックされる。１つの実施例において、コンテント・クラスは、マルチメディア・メッセージに関連する少なくとも１つのコンテント・クラスを示す特定のＭＭＳヘッダのコンテンツをチェックすることによって規定される。
【００２２】
受信者装置10は、メッセージ・コンテントの処理を、ステップ302で規定されたコンテント・クラスに従って適応させるようにされ得る。この処理は、例えば、コンテントの格納、コンテントの提示、又は、コンテントの修正のような、メッセージ・コンテントに関連する、１つあるいはそれより多い更なるアクションをカバーするように広義に理解されるべきである。従って、メッセージで示されたコンテント・クラスは、メッセージ・コンテントについての更なるアクションに対して影響（impact）を持ち得る。図３の実施例においては、メッセージ・コンテントの処理は、コンテント・クラスのサポートのためのチェックに基づいて適応される（adapted）。
【００２３】
ステップ303において、ターミナル10は、コンテント・クラスがサポートされているか否かをチェックする。１つの実施例において、このステップ303は、ステップ302で規定されたコンテント・クラスを、ターミナル10によってサポートされたものとして指定された所定のコンテント・クラスと比較することによって実行される。所定の、サポートされたコンテント・クラスは、ターミナル10の特性（properties）（例えば、スクリーン特性、及び、ターミナル10においてサポートされたアプリケーション）に基づいて指定されたものであり得、例えば、特定のターミナル能力（capability）ファイルに格納され得る。もし、受信されたメッセージのコンテント・クラスがサポートされるならば、ターミナル10において、メッセージは適切なものとして更に使用され（304）得る。一般的に、メッセージのコンテントは、提示され、格納される。
【００２４】
１つの実施例において、メディア・オブジェクトの提示が、検知されたコンテント・クラスに基づいて準備され得る（例えば、ステップ304において）、即ち、コンテントの提示の前に、検知されたコンテント・クラスに基づく早期の処理が呼び出され得る。例えば、メッセージ（そのコンテント・クラスが、ビデオに対するコンテント・クラスを示す）に対してビデオ・プレイヤーが呼び出される一方、テキスト・コンテント・クラスを示すメッセージに対しては、メディア・プレイヤーは必要とされない。
【００２５】
他の実施例において、ターミナル10は、識別されたコンテント・クラスに従ってメッセージ・コンテントを格納するようにされる。ここで、ターミナル10内に、コンテント・クラス特有の格納位置が存在し得る。例えば、イメージ（images）に対するコンテント・クラスを伴った受信されたＭＭのコンテンツは、イメージに対する特定のホルダ内に格納される。メッセージ・コンテントも、更に修正され得る。
【００２６】
もし、コンテント・クラスが、サポートされていないならば、本発明の実施例においては、ターミナル10は、コンテントの適応（adaptation）が、利用可能か否かを判断305するようにされる。コンテントが、受信者ターミナル10で提示可能なように、受信されたメッセージのコンテントを変更するために適応（adaptation）が使用され得る。もし、適応が全く利用不可能ならば、メッセージ・コンテントは、破棄されるか、又は、コンテントのいくつかが使用され得る。メッセージのコンテントを、そのようなものとして提示することは可能ではないが、ステップ307においてメッセージが格納されうることに留意すべきである。もし適切な適応が利用可能ならば、提示フォーマット、又は、受信者ターミナル10によってサポートされるクラスへのコンテント適応が、ステップ306で実行され得る。
【００２７】
図４及び図５は、本発明の他の側面、即ち、受信者へのメッセージにおけるＤＲＭ保護の指示（indication）を示す。図４は、ＭＭＳサーバ／リレー・エレメント20のような中間装置（intermediate device）で適用され得る機能を示す。ステップ401において、マルチメディア・メッセージ又は他のタイプのメッセージ（受信者へのマルチメディア・メッセージとして送信されるべきもの）が受信される。メッセージ・コンテントの何らかの部分に対してＤＲＭ保護が適用されるか否かを規定するために、メッセージのコンテントがステップ402でチェックされ得る。この目的のために、ステップ402で、受信されたメッセージの本文（body）部分が分析され得る。代替的な実施例において、メッセージ・コンテントの少なくとも一部が、ＤＲＭ保護されているか否かを規定するために、ＤＲＭ保護の存在を示す受信されたメッセージ内の特定のヘッダ又は他のタイプの情報エレメントが、ステップ402でチェックされる。もし、チェック402、403に基づいてＤＲＭ保護が適用されるならば、ステップ406で、受信者ターミナル10に送信されるべきマルチメディア・メッセージ内において、ＤＲＭ保護の指示が特定される（specified）。１つの実施例において、ＤＲＭ保護の指示を備える特定のヘッダが、受信されたメッセージのコンテントを含むＭＭＳ  ＰＤＵ内に付加される。或いは、もし、ＤＲＭ保護が、受信されたメッセージのコンテント内で適用されないならば、受信者に対するマルチメディア・メッセージは、ＤＲＭ保護の指示（indication）無しに準備404され得る。代替的な実施例において、メッセージは、それが特定的に（specifically）、メッセージ・コンテント内でＤＲＭ保護が適用されないことを示すように、ステップ404で準備される。ステップ404又は4063の後に、メッセージは、受信者ターミナル10に送信され407得る。
【００２８】
図５は、本実施例においてはＭＭＳエージェント11を備えるターミナル10内にある、受信者装置で適用され得る機能を示す。ステップ501において、ナルチメディア・メッセージが受信される。受信者ターミナル10は、ステップ502において、メッセージが、ＤＲＭ保護の指示（indication）を含むか否かをチェックするようにされる。同様に、図３及びステップ302との関連で既に説明されたように、受信者ターミナル10へのこのコンテント特性（property）の指示をアレンジすること（arranging）に対する代替的な実施例が存在する。１つの実施例において、ステップ502で、マルチメディア・メセージの特定のヘッダがチェックされる。
【００２９】
ステップ502,503に基づいて、ターミナル10は、データ保護を示す情報エレメントに応じて、受信されたメッセージのコンテント又はその一部へ１つあるいはそれより多い更なるアクションを適応させる（adapt）ようにされ得る。もし、チェック502、503、に基づいて（on the basis of）ＤＲＭ保護が適用されるならば、ステップ504でＤＲＭアクティビティが開始され得る。例えば、ＭＭＳエージェント11は、受信されたメッセージのＤＲＭ保護されたコンテントを取り扱う（handling）ために、ターミナル10においてＤＲＭクライアントを呼び出し得る。ＤＲＭクライアントは、次に、例えば、ＤＲＭ保護されたコンテントをエンコード、デコード、及び／又は、格納し得る。ＤＲＭ機能、及び、これらの機能によって提供される利用可能な使用制限についての更なる詳細については、ＯＭＡ ＤＲＭ仕様への参照が為される。従って、受信者ターミナル10は、ＤＲＭ工程を開始させることによって、メッセージ・コンテントの少なくともいくつかの更なる処理を適応させるようにされ得る。１つのシナリオにおいて、メッセージは、外部ライセンシング・サーバとのライセンシング手順によって得られるアンロッキング（解読）キーによってのみアンロック（解読）され得る、音楽ビデオ提示のような、ロックされた（暗号化された）メディア・オブジェクトを含む。ライセンス及びアンロッキング・キーを得るための手順は、受信されたメッセージ内のＤＲＭ保護指示（indication）に基づいて開始され得る。
【００３０】
或いは、もし、ＤＲＭ保護が適用されるならば、ステップ505において、如何なる特定のＤＲＭ機能も無しに、メッセージ・コンテントが適切なものとして使用され得る。一般的に、メッセージ・コンテントは、提示され、格納される。
【００３１】
１つの実施例において、ＭＭＳサーバ／リレー・エレメント20は、（ステップ201、及び／又は、ステップ401の後の）受信されたメッセージが、コンテント・クラス、及び／又は、ＤＲＭ保護の指示を含むか否かをチェックするようにされる。このチェックは、受信されたＭＭＳ送信ＰＤＵ（MMS submission PDU）のヘッダ部分を分析することによって実行され得る。もし、メッセージが、そのような指示を含むならば、（図２の実施例の場合にステップ202において、又は、図４の実施例のステップ404若しくは406において、）ＭＭＳサーバ／リレー・エレメント20は、受信された送信（submission）メッセージから検索（retrieval）／配送(delivery)ＰＤＵへの、そのような指示を含む少なくとも１つのヘッダを、受信者ターミナル10にコピーするようにされ得る。従って、ＭＭＳリレー／サーバ・エレメント20は、自分自身で情報を生成することが要求されず、それにいよって、ＭＭＳリレー／サーバ・エレメント20における負荷（load）は、増加しないことが期待される。もし、ＤＲＭ保護、及び／又は、コンテント・クラスの指示が存在しないならば、ＭＭＳサーバ／リレー・エレメント20は、適用されたコンテント・クラス、及び／又は、ＤＲＭ保護における受信されたＰＤＵのコンテントを分析してこの情報を判断するようにされ得るか、或いは、受信者ターミナル10に送信されるべき検索／配送ＰＤＵにおけるコンテント・クラス、及び／又は、ＤＲＭ保護の指示を省略（omit）し得る。
【００３２】
上述の実施例と類似するやり方において、（例えば、ステップ302/502において）ＭＭＳユーザ・エージェント11を備えるターミナル10も、コンテント・クラスの指示のためのチェッキング・ステップ、及び／又は、ＤＲＭ保護のアプリケーションを実行するようにされ得る。もし、指示（indication）が利用不可能ならば、ターミナル10は、（ステップ303/503の代わりに）、コンテント・クラス、及び／又は、ＤＲＭ保護のアプリケーションを識別するために、受信されたメッセージのコンテントの分析に進み得る。
【００３３】
１つの実施例において、コンテント・クラスの指示、及び／又は、ＤＲＭ保護のアプリケーションは、送信されたＭＭ  ＰＤＵのＭＭＳヘッダの中で指定される。従って、ＭＭＳサーバ／リレー・エレメント20は、コンテント・クラス、及び／又は、ＤＲＭ保護の指示を含む少なくとも１つのＭＭＳヘッダを付加するようにされる。代替的実施例において、コンテント・クラス、及び／又は、ＤＲＭ保護のアプリケーションの指示は、受信者ターミナル10に、受信されたＭＭを知らせる通知メッセージ内で指定される。従って、受信されたメッセージのコンテント、及び、指示は、別個のメッセージ内で転送され得る。コンテント・クラス指示、及び／又は、ＤＲＭ保護のアプリケーションについての指示に基づいて、受信者ターミナル10は、図３及び図４との関係で、上で説明された実施例の代わりに、ＭＭＳサーバ／リレー20からメッセージ・コンテントの送信を要求するか否かを判断する。
【００３４】
図６は、３ＧＰＰ  ＭＭＳシステムのための模範的な新しいヘッダ・フィールドを説明する。これらの新しいヘッダ・フィールドもまた、ＯＭＡ仕様内で指定され得る。コンテント・クラス値を指示するために、ヘッダ・フィールド「Ｘ-Ｍｍｓ-コンテント-クラス」が使用され得る。このヘッダ「Ｘ-Ｍｍｓ-コンテント-クラス」の値は、適用された分類に依存して、適用可能なメディア・タイプ／フォーマット、最大サイズ、イメージ／ビデオの最大解像度、適用可能な提示メカニズム、及び／又は、適用可能なＤＲＭ法についての情報を提供し得る。ヘッダ・フィールド「Ｘ-Ｍｍｓ-ＤＲＭ-コンテント」は、ＤＲＭコンテントの存在を指示するために使用され得る。このヘッダ・フィールドは、単に、値「Ｙｅｓ」又は「Ｎｏ」を持ち得る。いくつかのメッセージは、いずれのコンテント・クラスにも属さないことがあり得るので、ヘッダはオプショナルであり、いくつかのメッセージは、何の、ＤＲＭ保護されたコンテントも含まないこと、又は、ＭＭＳサーバ／リレー・エレメント20のために利用可能ではないこと、があり得る。コンテント・クラス、及び／又は、ＤＲＭ保護を指示するための、多くの代替的な方法も存在することが理解されるべきである。例えば、単一のヘッダが使用され得る。例えば、ＤＲＭ保護されたコンテント・エレメントの指示によって、ＤＲＭコンテントの存在が更に指定され得る。
【００３５】
他の実施例において、コンテント・クラスは、事前に、ＤＲＭ保護方法又はタイプについての、より詳細な情報と対応付けられる。従って、検知された、より詳細な情報に基づいて、受信者ターミナル10は、図５のステップ504の中で／その後に、更なるＤＲＭ手順を適用するようにされ得る。例えば、コンテント・クラスは、フォワーディング（forwarding）の回避（Forward Lock）の使用を指定し得、それによって、ターミナル10において、コンテントのフォワーディングは避けられる。図６のＤＲＭヘッダ・フィールド内で、又は、他の種類のＤＲＭ指示ヘッダ内で指示され得る、他の模範的なＤＲＭ保護方法は、コンバインド・デリバリ（Combined Delivery）及びセパレート・デリバリ(Separate Delivery)である。適用可能な利用制限方法は、ＤＲＭ法に限定されず、受信者ターミナル10に、何らかの種類の利用制限が指示され得ることに留意して欲しい。例えば、時間指定の制限、ユーザ制限、ユーザ・グループ制限、資金的制限、装置制限、又は、アプリケーション制限、が指示され得る。
【００３６】
既に言及したように、コンテント・クラスは、（（マルチメディア・メッセージのコンテントの一部、又は、メッセージ全体である）データ・セットが履行する）１つあるいはそれより多い要求（requirements）と対応付けられ、又は、それを指定する。要求は、複数の装置の間の相互作動可能性（interoperability）をサポートするために、転送されたデータを分類するために適切なものとして指定され得る。従って、類似の特性を持つ、転送された（ペイロード）データ・セットは、同じコンテント・クラスと対応付けられることになる。図６のヘッダ内で、１つの実施例で適用され得、指示され得る、いくつかの模範的要求カテゴリは、コンテントのサイズ、コンテントのテキスト・フォーマット、コンテントのイメージ・フォーマット、コンテントのビットマップ・フォーマット、コンテントのビデオ・フォーマット、コンテントのオーディオ・フォーマット、コンテントのＰＩＭ（個人情報管理：Personal Information Management）フォーマット、コンテントのＤＲＭ保護モード、及び、コンテントの提示フォーマットである。例えば、≦30ｋＢの最大サイズは、基本イメージ・クラスの要求である。したがって、（例えば、ステップ202におけるＭＭＳサーバ／リレー・エレメント20によって）基本イメージ・クラス、と対応付けられるようにするために、イメージを含むメッセージは30ｋＢより多くはなり得ない。さらに、受信者ターミナル10は、異なった所定のコンテント・クラスに対応付けられた、又は、それによって指定された、要求を知悉している。コンテント・クラスを識別した後に、ターミナル10は、受信されたメッセージのコンテント・クラスに基づいて、適切な更なる動作を開始し得る。例えば、基本イメージ・クラスと対応付けられたメッセージが受信されるならば、ターミナル10は、それが、メッセージを格納するために十分に利用可能なメモリ空間を持つか否かを判断し得る。もし、十分なメモリ空間を有さないならば、例えば、ユーザに通知され、及び／又は、可能であれば利用可能なメモリ空間が増加され得る。
【００３７】
１つの実施例において、以下のコンテント・クラスの少なくともいくつかが利用されて、コンテント・テキストを分類する：テキスト、イメージ・ベーシック（image-basic）、イメージ・リッチ（image-rich）、ビデオ・ベーシック（video-basic）、ビデオ・リチ（video-rich）、メガ・ピクセル、コンテント・ベーシック（content-basic）、コンテント・リッチ（content-rich）。しかし、コンテント・タイプの指示は、如何なる特定のコンテント・タイプに限定されない。１つの実施例において、ＯＭＡ仕様「ＭＭＳ  規格適応性（conformance）文書1.2」（候補バージョン、2004年7月27日）の７章で指定された特性が、クラス・テキスト（classes text）、イメージ・ベーシック、イメージ・リッチ、ビデオ・ベーシック、及び、ビデオ・リッチで利用される。図６の実施例を参照して、ヘッダ・フィールド「X-Mms-Content-Class」は、このようにして、これらの値の１つを持ち得る。例えば、これらのコンテント・クラスに対する所定の特定のバイナリ値が、ＭＭＳユーザ・エージェント11とＭＭＳリレー／サーバ機能21,22のどちらが、マルチメディア・メッセージのコンテント・クラスを規定し、識別するかに基づいて適用され得る。
【００３８】
上に説明される実施例は、それらの如何なる組み合わせにも適用され得ることに留意すべきである。当業者にとって、技術が進歩するにつれて、本発明的概念は、種々のやり方で実施され得ることは明白である。本発明及びその実施例は、上述の例に限定されず、請求項の範囲内で変化し得る。
【図面の簡単な説明】
【００３９】
【図１】マルチメディア・メッセージング・システムを説明するブロック図である。
【図２】本発明の特徴の実施例による方法を説明するフロー図である。
【図３】本発明の特徴の実施例による方法を説明するフロー図である。
【図４】本発明の他の特徴の実施例による方法を説明するフロー図である。
【図５】本発明の他の特徴の実施例による方法を説明するフロー図である。
【図６】マルチメディア・メッセージに対する模範的ヘッダを説明する表である。
【図１】
2008519478.tif 000003
【図２】
2008519478.tif 000004
【図３】
2008519478.tif 000005
【図４】
2008519478.tif 000006
【図５】
2008519478.tif 000007
【図６】
2008519478.tif 000008
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
メッセージング・システムにおいて受信者に対するメッセージ・コンテント特性（property）の指示（indication）を調整する（arranging）ための方法であって、当該メッセージング・システムが、受信者装置、及び、メッセージを受信者装置へ転送するネットワーク・エレメントを備え、転送されるメッセージが、当該メッセージの特性を指定（specify）し得、当該方法が、
前記ネットワーク・エレメントによって、前記受信者装置へ送信されるべきメッセージに対するデータ・セットのコンテント・クラスを規定し、
前記情報エレメントが、前記コンテント・クラスの指示を含むように、前記ネットワーク・エレメントによって、前記受信者装置へのメッセージ内の少なくとも１つの情報エレメントを指定し、そして、
前記メッセージを、前記受信者装置に送信する、
ステップを含むことを特徴とする方法。
【請求項２】
前記データ・セットのコンテント・クラスが、コンテント発信者（content originator）から受信されたメッセージにおけるコンテント・クラス指示に基づいて規定されることを特徴とする請求項１に記載の方法。
【請求項３】
前記データ・セットの前記コンテント・クラスが、前記ネットワーク・エレメントによって適用された（adapted）前記データ・セットに基づいて規定される、
ことを特徴とする請求項１に記載の方法。
【請求項４】
前記受信者装置によって前記メッセージを受信し、
前記情報エレメント内の前記コンテント・クラスをチェックし、そして、
前記コンテント・クラスに従って前記メッセージ・コンテントの更なる処理を調整する、
ことを特徴とする以上のいずれかの請求項に記載の方法。
【請求項５】
前記受信者装置において、受信者装置が、前記コンテント・クラスをサポートするか否かをチェックし、そして、
もし、前記受信者装置が、前記コンテント・クラスをサポートしないならば、前記データ・セットの少なくとも一部を適用させる、
ことを特徴とする請求項４に記載の方法。
【請求項６】
メッセージング・システムにおける受信者のためのメッセージ・コンテント特性の指示を調整するための方法であって、当該メッセージング・システムが、受信者装置、及び、メッセージを前記受信者装置へ転送するためのネットワーク・エレメントを備え、当該転送されるメッセージが、当該メッセージの特性を指定し得、当該方法が、
前記ネットワーク・エレメントによって、前記受信者装置へ送信されるべきメッセージのためのデータ・セットが、エレメントであって、当該エレメントの使用が制限される当該エレメントを含むか否かを規定し、
エレメントであって、当該エレメントの使用が制限される、１つあるいはそれより多い当該エレメントを含む前記データ・セットに応じて、前記情報エレメントが、使用制限されたコンテントの指示を含むように、前記ネットワーク・エレメントによって、前記受信者ターミナルへのメッセージ内の少なくとも１つの情報エレメントを指定し、そして、
前記メッセージを、前記受信者装置に送信する、
ステップを含むことを特徴とする方法。
【請求項７】
前記受信者装置によって前記メッセージを受信し、
前記情報エレメントをチェックし、そして、
使用制限を示す前記情報エレメントに応じて、使用が制限されたエレメントに対して１つあるいはそれより多い更なる動作を開始する、
ことを特徴とする請求項６に記載の方法。
【請求項８】
もし、前記データ・セットが、ＤＲＭ保護されたエレメントを含むならば、ＤＲＭ（デジタル権利管理）保護の指示が前記情報エレメント内で指定されることを特徴とする請求項６又は７に記載の方法。
【請求項９】
前記ネットワーク・エレメントがＭＭＳ（マルチメディア・メッセージング・サービス）リレー／サーバであり、前記メッセージがマルチメディア・メッセージであり、前記情報エレメントが前記メッセージ内のＭＭＳヘッダとして指定される、
ことを特徴とする以上のいずれかの請求項に記載の方法
【請求項１０】
メッセージング・システムのためのネットワーク・エレメントであって、当該ネットワーク・エレメントが、メッセージを受信者装置へ送信するための手段を備え、当該ネットワーク・エレメントが、
前記受信者装置へ送信されるべきメッセージのためのデータ・セットのコンテント・クラスを規定するための手段、及び、
前記情報エレメントが前記コンテント・クラスの指示を含むように、前記受信者装置へのメッセージ内の少なくとも１つの情報エレメントを指定するための手段、
を備えることを特徴とするネットワーク・エレメント。
【請求項１１】
前記コンテントの発信者から受信されたメッセージにおけるコンテント・クラス指示に基づいて、前記ネットワーク・エレメントが前記データ・セットの前記コンテント・クラスを規定するようにされることを特徴とする請求項１０に記載されたネットワーク・エレメント。
【請求項１２】
前記ネットワーク・エレメントによって適用された前記データ・セットに基づいて、前記ネットワーク・エレメントが前記データ・セットの前記コンテント・クラスを規定するようにされることを特徴とする請求項１０又は１１に記載のネットワーク・エレメント。
【請求項１３】
メッセージング・システムのためのネットワーク・エレメントであって、当該ネットワーク・エレメントが、メッセージを受信者装置へ送信するための手段を備え、当該ネットワーク・エレメントが、
前記受信者装置に送信されるべきメッセージのためのデータ・セットが、エレメントであって、当該エレメントの利用が制限される当該エレメントを含むか否かを規定するための手段、及び、
エレメントであって、当該エレメントの使用が制限される１つあるいはそれより多い当該エレメントを含むデータ・セットに応じて、前記情報エレメントが使用制限されたコンテントの指示を含むように、前記受信者装置へのメッセージ内の少なくとも１つの情報エレメントを指定するための手段、
を備えることを特徴とするネットワーク・エレメント。
【請求項１４】
もし、前記データ・セットがＤＲＭ保護されたエレメントを含むならば、前記ネットワーク・エレメントが、前記情報エレメント内で、ＤＲＭ（デジタル権利管理）保護の指示を指定するようにされることを特徴とする請求項１３に記載のネットワーク・エレメント。
【請求項１５】
前記ネットワーク・エレメントが、ＭＭＳ（マルチメディア・メッセージング・サービス）リレー／サーバであり、前記メッセージが、マルチメディア・メッセージであり、そして、
前記ネットワーク・エレメントが、前記情報エレメントを、前記メッセージ内のＭＭＳヘッダとして指定するようにされる、
ことを特徴とする請求項１０ないし１４のいずれかに記載のネットワーク・エレメント。
【請求項１６】
前記ネットワーク・エレメントが、前記データ・セットを含むメッセージ内の前記情報エレメントを指定するようにされることを特徴とする請求項１０ないし１５のいずれかに記載のネットワーク・エレメント。
【請求項１７】
モバイル・メッセージング・システムのためのモバイル・ターミナルであって、当該モバイル・ターミナルが、メッセージング・ネットワーク・エレメントからメッセージを受信するための手段を含み、当該モバイル・ターミナルが、
前記受信されたメッセージに含まれる、又は、それによって指示される、データ・セットのコンテント・クラスを示す情報エレメントをチェックするための手段、及び、
前記コンテント・クラスに従って、前記データ・セットの処理を適用させるための手段、
を備えることを特徴とするモバイル・ターミナル。
【請求項１８】
前記モバイル・ターミナルが、前記コンテント・クラスが前記モバイル・ターミナルでサポートされるか否かをチェックするようにされ、そして、
もし前記コンテント・クラスがサポートされるならば、前記モバイル・ターミナルが、前記データ・セットの更なる使用を調整する（arrange）ようにされる、
ことを特徴とする請求項１７に記載のモバイル・ターミナル。
【請求項１９】
モバイル・メッセージング・システムのためのモバイル・ターミナルであって、当該モバイル・ターミナルが、メッセージング・ネットワーク・エレメントからメッセージを受信するための手段、及び、使用制限されたデータを処理するための手段、を備え、当該モバイル・ターミナルが、
前記受信されたメッセージ内の情報エレメントをチェックするための手段であって、当該情報エレメントが、前記メッセージに含まれる又は前記メッセージによって指示される少なくとも１つのコンテント・エレメントの使用が制限されることを示すものであり、そして、
データ保護を示す前記情報エレメントに応じて、前記制限されたコンテント・エレメントに、１つあるいはそれより多い更なる動作を適用させるための手段、
を備えることを特徴とするモバイル・ターミナル。
【請求項２０】
前記使用制限を示す前記情報エレメントに応じて、前記モバイル・ターミナルが、前記制限されたコンテント・エレメントの処理を開始するようにされることを特徴とする請求項１９に記載のモバイル・ターミナル。
【請求項２１】
前記モバイル・ターミナルが、ＤＲＭ（デジタル権利管理）保護の前記指示を検知するようにされ、そして、
前記指示に基づいて、前記モバイル・ターミナルが、ＤＲＭ保護されたコンテント・エレメントのためのＤＲＭアクティビティを開始するようにされる、
ことを特徴とする請求項１９又は２０に記載のモバイル・ターミナル。
【請求項２２】
前記メッセージが、マルチメディアであり、そして、
前記ターミナルが、前記受信されたメッセージのＭＭＳヘッダ内の前記情報エレメントをチェックするようにされる、
ことを特徴とする請求項１７−２１のいずれかに記載のモバイル・ターミナル。
【請求項２３】
モバイル・ターミナルを制御するためのコンピュータ・プログラムを格納するコンピュータ読取り可能な媒体であって、当該コンピュータ・プログラムが、
受信されたメッセージに含まれる、又は、その中に指示される、データ・セットのコンテント・クラスを示す情報エレメントをチェックするためのコード、及び、
前記コンテント・クラスに従って、前記データ・セットの処理を適用させるためのコード、
を含むことを特徴とする媒体。
【請求項２４】
前記コンピュータ・プログラムが、
前記コンテント・クラスが、前記モバイル・ターミナルでサポートされるか否かをチェックするためのコード、及び、
前記コンテント・クラスがサポートされる場合に、前記データ・セットの更なる使用を調整(arranging)するためのコード、
を含む、請求項２３に記載のコンピュータ読取り可能な媒体。
【請求項２５】
モバイル・ターミナルを制御するためのコンピュータ・プログラムを格納するコンピュータ読取り可能な媒体であって、当該コンピュータ・プログラムが、
使用制限されたデータを処理するためのコード、
受信されたメッセージ内の情報エレメントをチェックするためのコードであって、当該情報エレメントが、当該メッセージに含まれる、又は、その中に指示される、少なくとも１つのコンテント・エレメントの使用が、制限されることを示すものであり、及び、
データ保護を示す前記情報エレメントに応じて、前記制限されたコンテント・エレメントに、１つあるいはそれより多い更なる動作を適応させるためのコード、
を含むことを特徴とする媒体。
【請求項２６】
前記コンピュータ・プログラムが、
使用制限を示す前記情報エレメントに応じて、前記制限されたコンテント・エレメントの処理を開始させるためのコードを含む、
請求項２９に記載のコンピュータ読取り可能な媒体。
【請求項２７】
モバイル・マルチメディア・メッセージング・システムにおける受信者のためのメッセージ・コンテント特性の指示を調整(arranging)するための方法であって、当該メッセージング・システムが、マルチメディア・メッセージング・ユーザ・エージェント、及び、メッセージを前記ユーザ・エージェントに転送するためのマルチメディア・メッセージング・リレー／サーバを備え、当該方法が、
前記マルチメディア・メッセージング・リレー／サーバによって、前記ユーザ・エージェントに送信されるべきマルチメディア・メッセージのコンテント・クラスを規定し、
前記マルチメディア・メッセージング・リレー／サーバによって、ユーザ・エージェントへの通知メッセージ又はマルチメディア・メッセージの中の、少なくとも１つの情報エレメントを指定することによって、当該情報エレメントが、前記コンテント・クラスの値を含むようにし、そして、
マルチメディア・メッセージ通知メッセージ、又は、前記マルチメディア・メッセージを、前記ユーザ・エージェントに送信する、
ステップを含むことを特徴とする方法。
【請求項２８】
モバイル・マルチメディア・メッセージング・システムにおける受信者のためのメッセージ・コンテント特性の指示を調整(arranging)するための方法であって、当該メッセージング・システムが、メッセージをユーザ・エージェントに転送するためのマルチメディア・メッセージング・ユーザ・エージェント及びマルチメディア・メッセージング・リレー／サーバを備え、当該方法が、
前記マルチメディア・メッセージング・リレー／サーバによって、ＤＲＭ(デジタル権利管理)保護されたコンテントが、前記ユーザ・エージェントに送信されるべきか否かを規定し、
前記マルチメディア・メッセージング・リレー／サーバによって、前記ユーザ・エージェントへの通知メッセージ又はマルチメディア・メッセージの中の少なくとも１つの情報をエレメントを指定して、ＤＲＭ(デジタル権利管理)保護されたコンテントが、前記ユーザ・エージェントに送信されるべきことを検知することに応じて、前記情報エレメントがＤＲＭコンテントの指示を含むようにし、そして、
前記通知メッセージ、又は、前記マルチメディア・メッセージを、前記ユーザ・エージェントに送信する、
ステップを含むことを特徴とする方法。
【国際調査報告】
2008519478.tif 000009
2008519478.tif 000010